(57)【特許請求の範囲】
【請求項１】
監視対象設備の運転状態を監視すると共に前記監視対象設備を制御する設備監視制御システムのモニタに表示する設備監視画面を制御する、画面表示制御データを生成する設備監視画面用の画面表示制御データ生成装置であって、
前記設備監視画面は、前記監視対象設備における複数の監視対象機器間の関連関係を表した固定画グラフィック画面と、前記監視対象機器の状態に応じて変化する可変画シンボルを含み、
前記監視対象設備における複数の前記監視対象機器間の関連関係が記載された原図をデータ化した、原図データを生成する原図入力処理部と、
前記原図データを編集して前記固定画グラフィック画面を生成し、かつ生成された前記固定画グラフィック画面における前記監視対象機器の図記号を前記可変画シンボルに置換して画面フォーマット図を生成する原図編集処理部と、
前記画面フォーマット図を含む前記画面表示制御データを生成する画面制御データ生成処理部と、を備え、
前記原図編集処理部は、前記可変画シンボル毎に当該可変画シンボルの変化情報が登録された画面可変画シンボルデータ、及び前記画面フォーマット図に基づいて、前記監視対象機器の状態と前記可変画シンボルの変化情報を含む属性情報を、前記可変画シンボル毎に関連付けした初期可変画シンボル属性情報を生成し、
前記画面制御データ生成処理部は、前記監視対象機器の状態を監視する項目である監視対象項目毎に関連付けされた項目番号が前記初期可変画シンボル属性情報に登録された可変画シンボル属性情報と、前記画面フォーマット図を含む前記画面表示制御データを生成することを特徴とする設備監視画面用の画面表示制御データ生成装置。
【請求項２】
前記原図編集処理部は、前記可変画シンボルが登録された画面可変画シンボルデータにおける図記号である登録図記号と、前記原図データにおける図記号である原図図記号を照合し、前記登録図記号と一致した前記原図図記号を前記登録図記号に関連付けされた前記可変画シンボルに置換することを特徴とする請求項１記載の設備監視画面用の画面表示制御データ生成装置。
【請求項３】
前記監視対象機器の監視対象項目毎に関連付けされた項目番号が登録された項目データベースと、前記画面フォーマット図に記載された前記監視対象機器の機器識別文字に基づいて、前記監視対象機器の前記項目番号を抽出する共に、抽出した前記項目番号を前記画面制御データ生成処理部に出力する項目データベース抽出処理部を備え、
前記画面制御データ生成処理部は、前記項目データベース抽出処理部から受け取った前記項目番号を、対応する前記監視対象機器に関連付けして前記初期可変画シンボル属性情報に登録し、この登録処理後の可変画シンボル属性情報において前記項目番号が関連付けされていない前記監視対象機器がある場合に、入力装置から入力された前記項目番号を、対応する前記監視対象機器に関連付けして前記登録処理後の可変画シンボル属性情報に登録することを特徴とする請求項１または２に記載の設備監視画面用の画面表示制御データ生成装置。
【請求項４】
前記項目データベース抽出処理部は、前記画面フォーマット図に記載された前記監視対象機器の前記機器識別文字を検索キーとして、前記項目データベースに登録された前記監視対象項目を検索して、前記機器識別文字を含む前記監視対象項目に関連付けされた前記項目番号を抽出することを特徴とする請求項３記載の設備監視画面用の画面表示制御データ生成装置。
【請求項５】
前記原図入力処理部は、前記原図編集処理部が編集する範囲である処理対象範囲が記載された前記原図データである付加原図データを生成し、
前記原図編集処理部は、前記付加原図データを編集して前記固定画グラフィック画面を生成し、かつ生成された前記固定画グラフィック画面における前記監視対象機器の図記号を前記可変画シンボルに置換して前記画面フォーマット図を生成することを特徴とする請求項１から４のいずれか１項に記載の設備監視画面用の画面表示制御データ生成装置。
【請求項６】
前記原図入力処理部は、前記処理対象範囲が記載された前記原図に基づいて前記付加原図データを生成することを特徴とする請求項５記載の設備監視画面用の画面表示制御データ生成装置。
【請求項７】
前記原図は、複数のレイヤに記載された情報が重畳されて図面を構成するＣＡＤデータであり、
前記原図入力処理部は、前記画面フォーマット図に記載される残留対象が含まれない前記レイヤを削除した前記原図データである削減原図データを生成し、
前記原図編集処理部は、前記削減原図データを編集して前記固定画グラフィック画面を生成し、かつ生成された前記固定画グラフィック画面における前記監視対象機器の図記号を前記可変画シンボルに置換して前記画面フォーマット図を生成することを特徴とする請求項１から４のいずれか１項に記載の設備監視画面用の画面表示制御データ生成装置。
【請求項８】
監視対象設備の運転状態を監視すると共に前記監視対象設備を制御する設備監視制御システムのモニタに表示する設備監視画面を制御する、画面表示制御データを生成する設備監視画面用の画面表示制御データ生成方法であって、
前記設備監視画面は、前記監視対象設備における複数の監視対象機器間の関連関係を表した固定画グラフィック画面と、前記監視対象機器の状態に応じて変化する可変画シンボルを含み、
前記監視対象設備における複数の前記監視対象機器間の関連関係が記載された原図をデータ化した、原図データを生成する原図データ生成工程と、
前記原図データを編集して前記固定画グラフィック画面を生成し、かつ生成された前記固定画グラフィック画面における前記監視対象機器の図記号を前記可変画シンボルに置換して画面フォーマット図を生成する画面フォーマット図生成工程と、
前記画面フォーマット図を含む前記画面表示制御データを生成する制御データ生成工程と、を実行し、
前記画面フォーマット図生成工程において、前記可変画シンボル毎に当該可変画シンボルの変化情報が登録された画面可変画シンボルデータ、及び前記画面フォーマット図に基づいて、前記監視対象機器の状態と前記可変画シンボルの変化情報を含む属性情報を、前記可変画シンボル毎に関連付けした初期可変画シンボル属性情報を生成し、
前記制御データ生成工程において、前記監視対象機器の状態を監視する項目である監視対象項目毎に関連付けされた項目番号が前記初期可変画シンボル属性情報に登録された可変画シンボル属性情報と、前記画面フォーマット図を含む前記画面表示制御データを生成することを特徴とする設備監視画面用の画面表示制御データ生成方法。
【請求項９】
前記画面フォーマット図生成工程において、前記可変画シンボルが登録された画面可変画シンボルデータにおける図記号である登録図記号と、前記原図データにおける図記号である原図図記号を照合し、前記登録図記号と一致した前記原図図記号を前記登録図記号に関連付けされた前記可変画シンボルに置換することを特徴とする請求項８記載の設備監視画面用の画面表示制御データ生成方法。
【請求項１０】
項目データベースに登録されている、前記監視対象機器の監視対象項目毎に関連付けされた項目番号と、前記画面フォーマット図に記載された前記監視対象機器の機器識別文字に基づいて、前記監視対象機器の前記項目番号を抽出する項目番号抽出工程を含み、
前記制御データ生成工程において、前記項目番号抽出工程にて抽出された前記項目番号を、対応する前記監視対象機器に関連付けして前記初期可変画シンボル属性情報に登録し、この登録処理後の前記可変画シンボル属性情報において前記項目番号が関連付けされていない前記監視対象機器がある場合に、入力装置から入力された前記項目番号を、対応する前記監視対象機器に関連付けして前記登録処理後の可変画シンボル属性情報に登録することを特徴とする請求項８または９に記載の設備監視画面用の画面表示制御データ生成方法。
【請求項１１】
前記項目番号抽出工程において、前記画面フォーマット図に記載された前記監視対象機器の前記機器識別文字を検索キーとして、前記項目データベースに登録された前記監視対象項目を検索して、前記機器識別文字を含む前記監視対象項目に関連付けされた前記項目番号を抽出することを特徴とする請求項１０記載の設備監視画面用の画面表示制御データ生成方法。
【請求項１２】
前記原図データ生成工程において、前記制御データ生成工程にて編集される範囲である処理対象範囲が記載された前記原図データである付加原図データを生成し、
前記制御データ生成工程において、前記付加原図データを編集して前記固定画グラフィック画面を生成し、かつ生成された前記固定画グラフィック画面における前記監視対象機器の図記号を前記可変画シンボルに置換して前記画面フォーマット図を生成することを特徴とする請求項８から１１のいずれか１項に記載の設備監視画面用の画面表示制御データ生成方法。
【請求項１３】
前記原図データ生成工程において、前記処理対象範囲が記載された前記原図に基づいて前記付加原図データを生成することを特徴とする請求項１２記載の設備監視画面用の画面表示制御データ生成方法。
【請求項１４】
前記原図は、複数のレイヤに記載された情報が重畳されて図面を構成するＣＡＤデータであり、
前記原図データ生成工程において、前記画面フォーマット図に記載される残留対象が含まれない前記レイヤを削除した前記原図データである削減原図データを生成し、
前記制御データ生成工程において、前記削減原図データを編集して前記固定画グラフィック画面を生成し、かつ生成された前記固定画グラフィック画面における前記監視対象機器の図記号を前記可変画シンボルに置換して前記画面フォーマット図を生成することを特徴とする請求項８から１１のいずれか１項に記載の設備監視画面用の画面表示制御データ生成方法。
【発明の詳細な説明】
【技術分野】
【０００１】
本発明は、監視対象設備の運転状態をモニタ画面で監視し、監視対象設備を制御するシステムにおける、設備監視画面の画面表示制御データを生成する生成装置および生成方法に関するものである。
【背景技術】
【０００２】
監視対象設備の運転状態を液晶モニタ画面で監視し、監視対象設備を制御するシステムには、例えば電力監視制御システムやプラント監視制御システム等がある。監視制御するシステム（以下「設備監視制御システム」と呼ぶ）は、計算機を用いて監視対象設備の運転状態を監視する。設備監視制御システムにおける設備監視画面は、監視対象機器の繋がりや位置関係を表した固定画グラフィック画面（以下「初期画面フォーマット図」と呼ぶ）の上に、監視対象機器の状態を表す「可変画シンボル」を重ね合わせて表示する方法が一般的である。「可変画シンボル」で表示される監視対象機器の状態は、運転又は停止を示す状態（運転／停止状態）、故障の有無の状態、監視対象機器の電流や温度などの計測値などである。
【０００３】
設備監視制御システムにおける設備監視画面の例を３つ示す。設備監視画面が電力系統図（単線結線図）の場合は、画面フォーマット図は電力系統接続図であり、可変画シンボルは遮断器等の状態、故障表示、電流計測値等である。設備監視画面が水などの配管系統図の場合は、画面フォーマット図は配管系統表示図であり、可変画シンボルはポンプ等の運転状態、温度計測値等である。設備監視画面が機器配置図の場合は、画面フォーマット図は部屋の壁及び間仕切り図であり、可変画シンボルはファン及びポンプなどの運転状態である。
【０００４】
特許文献１には、プラントの運転状態をＣＲＴ（Cathode Ray Tube）で監視する際の監視画面を自動生成するプラント監視画面白動生成システムが開示されている。特許文献１のシステムでは、画面フォーマット図のデータと、特許文献１の画面可変画ロジック仕様書に相当する可変画シンボルのデータを、画面データ生成処理部で編集処理して個々の設備監視画面の表示内容を定義した画面表示コントロールデータ（画面表示制御データ）を自動生成している。しかしながら、画面フォーマット図は画面フォーマット図生成ＣＡＤ（Computer Aided Design）装置の端末画面上で作業者により直接作図されており、可変画シンボルは可変画ロジック作成用のＣＡＥ（Computer Aided Engineering）装置の端末画面上で作業者により直接作図されていた。つまり、特許文献１のシステムでは、施主（発注者）から提供される系統図や機器配置図に基づいて、設備監視画面の画面フォーマット図及び可変画シンボルを作成する工程は、ＣＡＤ装置及びＣＡＥ装置の端末画面から入力するオペレータの操作に委ねられており自動化されていない。
【０００５】
特許文献２には、グラフィック表示データのためのＣＲＴ画面自動作成方法が開示されており、この方法は画面フォーマット図と可変画シンボルの作成作業を軽減している。特許文献２のＣＲＴ画面自動作成方法は、可変画シンボルに相当する旗上げ番号図形を付した入力用図面に基づいて、ＣＲＴ画面用表示データの固定データである図形データファイルを作成し、入力用図面を参照して手入力により作成された、旗上げ番号図形に色やフリッカー有無等により属性や各状態の監視対象となる設備等の情報を提供する属性ファイルを図形データファイルに関連付けして、表示データファイルを自動作成している。特許文献２のＣＲＴ画面自動作成方法は、可変画シンボルに相当する旗上げ番号図形を付した入力用図面、すなわち「設備監視画面の下絵」を予め作図して、これをスキャナで読み取るようにしたものである。特許文献２のＣＲＴ画面自動作成方法は、下絵をデータ化する工程は自動化しているものの、基となる系統図や機器配置図から設備監視画面を書き起こす作業、すなわち「画面デザイン」の作業は依然として手作業のままである。
【先行技術文献】
【特許文献】
【０００６】
【特許文献１】特開昭６３−２７３９１４号公報（第二頁右下段１２行〜第三頁左上段１６行、図１）
【特許文献２】特開平２−２０３１５８号公報（段落００１２〜００１５、図１、図２）
【発明の概要】
【発明が解決しようとする課題】
【０００７】
特許文献１のプラント監視画面白動生成システムでは画面フォーマット図の入力方法がＣＡＤ装置の端末（ＣＡＤ端末装置）から手入力される方法であり、特許文献２のＣＲＴ画面自動作成方法では画面フォーマット図の入力方法が予め作成した下絵をスキャナで読み込まれる方法である。いずれの場合も、系統図、機器配置図など基となる図面から画面フォーマット図を書き起こす作業については自動化されておらず、でき上がった画面フォーマット図の品質や作成に要する時間は、設計者やＣＡＤオペレータ等の作業者のデザイン力及び監視対象設備についての習熟度に委ねられているという問題点があった。
【０００８】
本発明は、上記のような課題を解決するためになされたものであり、発注者から提供される系統図や機器配置図等のプラント設備の原図に基づいて、可変画シンボルが配置された画面フォーマット図を含む設備監視画面を制御する画面表示制御データを生成することを目的とする。
【課題を解決するための手段】
【０００９】
本発明の設備監視画面用の画面表示制御データ生成装置は、監視対象設備の運転状態を監視すると共に監視対象設備を制御する設備監視制御システムのモニタに表示する設備監視画面を制御する、画面表示制御データを生成する画面表示制御データ生成装置であり、設備監視画面は、監視対象設備における複数の監視対象機器間の関連関係を表した固定画グラフィック画面と、監視対象機器の状態に応じて変化する可変画シンボルを含んでいる。本発明の設備監視画面用の画面表示制御データ生成装置は、監視対象設備における複数の監視対象機器間の関連関係が記載された原図をデータ化した、原図データを生成する原図入力処理部と、原図データを編集して固定画グラフィック画面を生成し、かつ生成された固定画グラフィック画面における監視対象機器の図記号を可変画シンボルに置換して画面フォーマット図を生成する原図編集処理部と、画面フォーマット図を含む画面表示制御データを生成する画面制御データ生成処理部と、を備えたことを特徴とする。
【発明の効果】
【００１０】
本発明の設備監視画面用の画面表示制御データ生成装置は、原図編集処理部が、原図データを編集して固定画グラフィック画面を生成し、かつ監視対象機器の図記号を可変画シンボルに置換して画面フォーマット図を生成するので、作業者のデザイン力及び監視対象設備についての習熟度に依存することなく、正確な設備監視画面を設備監視制御システムに表示するための画面表示制御データを生成することができる。
【図面の簡単な説明】
【００１１】
【図１】本発明の実施の形態１による画面表示制御データ生成装置を示す図である。
【図２】図１の原図の一例を示す図である。
【図３】図１の画面可変画シンボルデータの一例を示す図である。
【図４】図１の画面フォーマット図の一例を示す図である。
【図５】図１の可変画シンボル属性情報の一例を示す図である。
【図６】図１の画面表示制御データにおける可変画シンボル属性情報の一例を示す図である。
【図７】図１の監視項目表の一例を示す図である。
【図８】図１の画面表示制御データ生成装置の機能ブロックを実現するハードウェア構成を示す図である。
【図９】本発明の実施の形態２による画面表示制御データ生成装置を示す図である。
【図１０】本発明の実施の形態２による可変画シンボル属性情報の一例を示す図である。
【図１１】本発明の実施の形態３による画面表示制御データ生成装置に用いる原図の一例を示す図である。
【発明を実施するための形態】
【００１２】
実施の形態１．
図１は、本発明の実施の形態１による画面表示制御データ生成装置を示す図である。図２は図１の原図の一例を示す図であり、図３は図１の画面可変画シンボルデータの一例を示す図である。図４は図１の画面フォーマット図の一例を示す図であり、図５は図１の可変画シンボル属性情報の一例を示す図である。図６は図１の画面表示制御データにおける可変画シンボル属性情報の一例を示す図であり、図７は図１の監視項目表の一例を示す図である。図８は、図１の画面表示制御データ生成装置の機能ブロックを実現するハードウェア構成を示す図である。図１には、作業者が監視制御対象機器の監視対象項目を監視制御項目仕様に基づいて定義する監視項目表１２から項目データベース１４を生成する項目データベース生成装置１０と、画面表示制御データ生成装置３０により生成された画面表示制御データ７及び項目データベース生成装置１０により生成された項目データベース１４に基づいて、監視対象設備の設備監視画面を表示し、監視対象設備の監視制御を行う設備監視制御システム２０も示した。
【００１３】
画面表示制御データ生成装置３０は、設備監視制御システム２０における監視制御端末装置２２のモニタ２２ａに表示する設備監視画面の表示制御を行う画面表示制御データ７の自動生成を行う。画面表示制御データ生成装置３０は、原図入力処理部１、原図編集処理部２、画面制御データ生成処理部６、ＣＡＥ端末装置５を備える。原図入力処理部１は、発注者（施主）などから提供された系統図などの図面（原図９）を読み取り、原図データ１５を生成する処理部であり、スキャナ装置１６とＣＡＤ端末装置１７を備える。原図９には、紙に印刷された紙原図９ａ、ＣＡＤデータファイル９ｂにおける個別のイメージ原図が含まれる。図１には、紙原図９ａとＣＡＤデータファイル９ｂを記載したが、原図の種類を区別しない場合は単に原図９を用いる。
【００１４】
原図編集処理部２は、原図入力処理部１により読み取った原図９のイメージデータである原図データ１５に描かれている文字、線、図記号などの認識及び抽出する機能と、抽出されたデータを基に画面フォーマット図３及び可変画シンボル属性情報１８を生成する機能を併せ持つ処理部である。ＣＡＥ端末装置５は、画面可変画シンボルデータ４の作成と、画面フォーマット図３に配置した画面可変画シンボルに監視対象項目を割り当てる紐付け作業、すなわち関連付け作業を行う。画面可変画シンボルデータ４は、設備監視制御システム２０における監視制御端末装置２２のモニタ２２ａに表示される設備監視画面上の可変画シンボルのデータであり、監視対象機器の状態、計測値など情報（変化情報）を表示する。監視対象機器の状態は、監視対象機器の入／切状態、故障有無等である。予めＣＡＥ端末装置５にて画面可変画シンボルデータ４を作成し保存しておく。保存先は、記録装置や記録メディア等である。
【００１５】
画面制御データ生成処理部６は、可変画シンボル属性情報１８（図５参照）に監視対象機器の監視対象項目が関連付けされた可変画シンボル属性情報１８ａを生成し、この可変画シンボル属性情報１８ａ（図６参照）と、画面可変画シンボルデータ４に登録された個々の監視対象機器を示す可変画シンボルが配置された画面フォーマット図３を含む画面表示制御データ７を生成する。画面制御データ生成処理部６が最初に生成する可変画シンボル属性情報１８（図５参照）は、初期可変画シンボル属性情報であり、適宜、初期可変画シンボル属性情報１８も用いる。可変画シンボル属性情報１８ａ（図６参照）は、監視対象機器の監視対象項目毎に関連付けされた項目番号が登録されている。項目データベース生成装置１０は、作業者が監視制御対象機器の監視対象項目を定義する項目データベース１４を生成する装置であり、ＣＡＥ端末装置１１と項目データベース生成処理部１３を備える。
【００１６】
設備監視制御システム２０は、監視制御端末装置２２と、監視制御端末装置２２のモニタ２２ａに表示する設備監視画面を生成する画面データ生成処理部２１を備える。設備監視制御システム２０は、計算機を用いて監視対象設備の運転状態を遠隔から監視し、また監視対象設備の起動／停止などの操作を遠隔から行う。監視制御端末装置２２は、建屋に設置された液晶モニタ装置や、持ち運び可能なタブレット端末などである。なお、モニタ２２ａは液晶モニタに限らず、他の薄型モニタ、ＣＲＴ等でもよい。ＣＡＤ端末装置１７は、データや作業中のデータ等を表示するモニタ１７ａを備える。同様に、ＣＡＥ端末装置５、ＣＡＥ端末装置１１もそれぞれ、データや作業中のデータ等を表示するモニタ５ａ、モニタ１１ａを備える。
【００１７】
次に画面表示制御データ生成装置３０の動作について説明する。ここでは、図２に示す電力系統図（単線結線図）を原図９（紙原図９ａ）として設備監視画面の画面表示制御データを生成する場合を例に挙げて説明する。一般的に電力系統図には、電源電流が流れる主回路部分のほかに計装制御のための制御回路や接地線が描かれている。また回路を構成する変圧器や遮断器等の設備機器は、ＪＩＳ  Ｃ０６１７やＪＳＩＡ  １１８−１で定められた電気用図記号で表され、併せて当該機器の名称や仕様などが書き添えられている。例えば、図２に示すように所定の電気用図記号で表示された断路器７５の右側には、機器の名称である「８９Ｍ１Ｒ」の他に、「ＤＳ」、「ＤＶ−ＲＢ」、「３．６ｋＶ  ６００Ａ」、「２０ｋＡ」のような仕様等が記載されている。
【００１８】
図２の紙原図９ａに記載された機器等のうち、画面フォーマット図３に記載される機器等を列挙する。５２Ｍ１に繋がる第一系統（左側の系統）において、ケーブルヘッド７１からケーブルヘッド７２の間には、電線７３、断路器７５、負荷開閉器７６、変圧器７７、計測値７８、計測値７９、計測値８０、保護継電器８１、保護継電器８２、保護継電器８３が記載されている。５２Ｍ２に繋がる第二系統（右側の系統）において、ケーブルヘッド９１からケーブルヘッド９２の間には、電線９３、断路器９５、断路器９６、変圧器９７、計測値９８、計測値９９、計測値１００、保護継電器１０１、保護継電器１０２、保護継電器１０３が記載されている。また、図２には、電線７３と電線９３を接続する電線７４も記載されている。
【００１９】
発注者から提供された電力系統図等の原図９を原図入力処理部１で読み取り、データ化した原図データ１５を生成する（原図データ生成工程）。原図データ１５は、記録装置や記録メディアに保存する。この際に、原図９が提供された電力系統図が印刷された図面である紙原図９ａであればスキャナ装置１６で読み取り、イメージデータである原図データ１５として保存する。また、提供された系統図がＣＡＤデータなどのデータファイル（ＣＡＤデータファイル９ｂ）の場合は、ＣＡＤ端末装置１７に入力してそのまま保存する。ＣＡＤ端末装置１７は、ＣＡＤデータファイル９ｂの中から原図をイメージ化した原図データ１５を生成する。なお、提供されたＣＡＤデータファイル９ｂが、イメージ化された系統図等であれば、既にイメージ化されているので、そのまま使用する。
【００２０】
次に原図編集処理部２は、保存された原図データ１５から設備監視画面の表示に必要な画面フォーマット図３及び可変画シンボル属性情報１８を編集して生成する（前段階データ生成工程）。原図編集処理部２が生成する可変画シンボル属性情報１８（図５参照）は、後述する対象機器の監視制御項目と関連付けされた項目番号が登録されていないデータであり、画面制御データ生成処理部６の処理が実行されることで、項目番号が登録された可変画シンボル属性情報１８ａ（図６参照）が完成する。監視制御項目は、監視対象項目と制御対象項目をまとめた表記である。監視制御項目は、監視に関しては監視対象項目であり、制御に関しては制御対象項目でもある。
【００２１】
編集処理部２は、原図データ１５から設備監視画面として必要な部分を抽出して初期画面フォーマット図を作成し、この初期画面フォーマット図に監視対象機器の状態を表す画面可変画シンボルデータ４の可変画シンボルを配置して、図４に示す画面フォーマット図３を生成する。原図編集処理部２が原図データ１５から設備監視画面として必要な部分を抽出する際に、シンボル抽出用のテーブルとして予め作成して画面可変画シンボルデータ４を用いる。シンボル抽出用のテーブルの例を図３に示す。シンボル抽出用のテーブルは、画面可変画シンボルデータ４を表形式にしたデータである。
【００２２】
図３に示した画面可変画シンボルデータ４を説明する。画面可変画シンボルデータ４の表には、名称、原図上の図記号、可変画シンボル、オン時表示色、オフ時表示色の欄（列）が設けられている。オン時表示色、オフ時表示色の欄（列）に登録された情報が変化情報である。オン時表示色は、可変画シンボルによっては、通電時表示色又は動作時表示色と読み替える。オフ時表示色も、可変画シンボルによっては、遮断時表示色又は非動作時表示色と読み替える。名称欄には、６つの機器を示した。なお、第三段目では、可変画シンボルが同じになるので、断路器、負荷開閉器をまとめて示した。第一段目は、ケーブルヘッドである。原図上の図記号、可変画シンボルは、それぞれ下向き、上向きの２つを示した。ケーブルヘッドの可変画シンボルは、色変化はしない。
【００２３】
第二段目は、遮断器であり、２種類の原図上の図記号を示した。可変画シンボルは、（１）の遮断器、（２）の遮断器であっても、共通の１つのシンボルである。遮断器の場合は、オン時表示色及びオフ時表示色は、通電時表示色及び遮断時表示色の意味である。遮断器の可変画シンボルは、オン時表及びオフ時（通電時及び遮断時）には、それぞれ赤色及び緑色に変化する。
【００２４】
第三段目は、断路器、負荷開閉器である。（１）の原図上の図記号が断路器であり、（２）の原図上の図記号が負荷開閉器である。可変画シンボルは、（１）の断路器、（２）の負荷開閉器であっても、共通の１つのシンボルである。断路器、負荷開閉器の場合は、オン時表示色及びオフ時表示色は、通電時表示色及び遮断時表示色の意味である。断路器、負荷開閉器の可変画シンボルは、オン時表及びオフ時（通電時及び遮断時）には、それぞれ赤色及び緑色に変化する。
【００２５】
第四段目は、変圧器である。原図上の図記号、可変画シンボルは、それぞれ２つを示した。変圧器の可変画シンボルは、色変化はしない。第五段目は、保護継電器である。原図上の図記号、可変画シンボルは、それぞれ４つを示した。保護継電器の場合は、オン時表示色及びオフ時表示色は、動作時表示色及び非動作時表示色の意味である。保護継電器の可変画シンボルは、オン時表及びオフ時（動作時及び非動作時）には、それぞれ赤色及び消灯（背景色）に変化する。
【００２６】
第六段目は、計測値である。原図上の図記号、可変画シンボルは、それぞれ電流値と電圧値の２つを示した。計測値の場合は、オン時表示色及びオフ時表示色は、動作時表示色及び非動作（未計測）時表示色の意味である。計測値の可変画シンボルは、オン時（動作時）には、計測器の数値を表示すると共に、数値が正常値の場合は当該数値が白色に変化し、数値が異常値の場合は当該数値が赤色に変化する。計測値の可変画シンボルは、オフ時（非動作時）には、表示記号「＊＊＊＊」を表示すると共に、当該表示記号が赤色に変化する。
【００２７】
原図編集処理部２の処理手順、すなわち前段階データ生成工程を説明する。図４の画面フォーマット図３及び図５の可変画シンボル属性情報１８を生成する場合を例にして、原図編集処理部２の処理手順を説明する。まず、ステップＳ００１として、原図９の原図データ１５と、画面可変画シンボルデータ４に登録された各機器の図記号（登録図記号）とを照合して、原図データ１５に記載された各機器の図記号（原図図記号）を抽出する（図記号抽出工程）。図２の紙原図９ａにおいて抽出された図記号は、ケーブルヘッド７１、７２、９１、９２、断路器７５、９５、負荷開閉器７６、９６、変圧器７７、９７、計測値７８、７９、８０、９８、９９、１００、保護継電器８１、８２、８３、１０１、１０２、１０３である。
【００２８】
ステップＳ００２として、ステップＳ００１で抽出した図記号のうちケーブルヘッド、遮断器、断路器および変圧器の４種の図記号に着目して、ケーブルヘッド７１、７２、９１、９２から各機器に延びる接続線（電線７３、７４、９３）のみを抽出し、その他の接続線を削除する。抽出した接続線（電線７３、７４、９３）が画面フォーマット図として描くべき電源主回路にあたる（主回路抽出工程）。
【００２９】
ステップＳ００３として、ステップＳ００１で抽出した図記号のうち遮断器、断路器７５、９５、負荷開閉器７６、９６について、抽出した図記号の近傍に描かれている文字列（区切りのない一塊の文字集合）から遮断器については５２、断路器又は負荷開閉器については８９で始まる文字列（８９Ｍ１Ｒ等）を抽出して、これ以外を削除する（文字列整理工程）。なお、図２において、遮断器は存在しない。図２は、２つの断路器７５、９５と２つの負荷開閉器７６、９６が存在するので、それぞれの断路器及び負荷開閉器における、「８９Ｍ１Ｒ」、「８９Ｔ１」、「８９Ｍ２Ｒ」、「８９Ｔ２」の文字列のみ残し、他の文字列が削除される。
【００３０】
ステップＳ００４として、ステップＳ００１で抽出した図記号を、画面可変画シンボルデータ４に従って各図記号に対応する可変画シンボルのデータに置き換える（可変画シンボル置換工程）。図２の紙原図９ａにおけるケーブルヘッド７１、７２、９１、９２は、それぞれ図４の画面フォーマット図３におけるケーブルヘッド３１、３２、５１、５２に置換される。同様に、紙原図９ａにおける断路器７５、９５、及び負荷開閉器７６、９６は、それぞれ画面フォーマット図３における断路器３５、５５、負荷開閉器３６、５６に置換される。紙原図９ａにおける変圧器７７、９７は、それぞれ画面フォーマット図３における変圧器３７、５７に置換される。紙原図９ａにおける計測値７８、７９、８０、９８、９９、１００は、それぞれ画面フォーマット図３における計測値３８、３９、４０、５８、５９、６０に置換される。紙原図９ａにおける保護継電器８１、８２、８３、１０１、１０２、１０３は、それぞれ画面フォーマット図３における保護継電器４１、４２、４３、６１、６２、６３に置換される。
【００３１】
なお、ステップＳ００４の実行の際に、作業者がＣＡＤ端末装置１７に作業途中の画面フォーマット図を表示して、送電先回路名などを追記したり、１画面に表示する範囲を絞り込むなどの編集作業を行ってもよい（調整工程）。
【００３２】
ステップＳ００５として、ステップＳ００１からＳ０００４を実行して完成した画面データを可変画シンボル配置済みの画面フォーマット図３として保存する（画面フォーマット図保存工程）。保存先は、記録装置や記録メディア等である。ステップＳ００１からＳ０００５の工程は、画面フォーマット図生成工程である。
【００３３】
ステップＳ００１からＳ０００５の処理手順により、図２に示した紙原図９ａの系統図から自動生成された画面フォーマット図３の例を図４に示した。この画面フォーマット図３には、原図である系統図上に記されていた電線７３、７４、９３が電線３３、３４、５３として記載され、原図である系統図上に記されていた図記号のうち画面可変画シンボルデータ４で指定されていた図記号と合致したものがそれぞれ可変画シンボルのデータに置き換えられている。なお、図４に示した画面フォーマット図３と同様の図が設備監視制御システム２０の設備監視画面として表示される。設備監視画面は、監視対象設備における複数の監視対象機器間の関連関係を表した固定画グラフィック画面と、監視対象機器の状態に応じて変化する可変画シンボルを含んでいる。
【００３４】
また、ステップＳ００６として、原図編集処理部２は、可変画シンボル配置済みの画面フォーマット図３と、画面可変画シンボルデータ４に基づいて、図５に示すような可変画シンボル属性情報１８を生成する。図５の可変画シンボル属性情報１８における番号（Ｎｏ．列の番号）は、便宜的に付されたものである。可変画シンボル属性情報１８に設けられた情報登録欄（列）に、それぞれの可変画シンボルのデータに対応した、各シンボルの種別、画面上の座標、表示色などの属性情報が自動的に登録される（属性情報生成工程）。可変画シンボル属性情報１８は、記録装置や記録メディア等に保存される。図５に示した可変画シンボル属性情報１８は、順番に付された番号（Ｎｏ．）の欄（列）と、座標、ピクチャ名、シンボル種別、項目番号、オン／オフ時色、故障時色の情報登録欄（列）が設けられており、それぞれの属性情報が登録可能である。図５に示した可変画シンボル属性情報１８において、対象機器の監視制御項目と関連付けされた項目番号以外は、画面フォーマット図３と、画面可変画シンボルデータ４に基づいて、自動登録される。但し、各シンボルと監視制御項目に関連付けされた項目番号は登録されていない。項目番号の登録は、画面制御データ生成処理部６にて行われる。なお、図５における「図上の付加符号」の欄（列）は、対応関係が理解し易いように、図４の画面フォーマット図３における可変画シンボルに付した符号を便宜的に記載した。
【００３５】
画面制御データ生成処理部６では、下記に示す項目番号登録工程と最終データ生成工程を実行することにより、画面表示制御データ７を生成する制御データ生成工程を実行する。項目番号登録工程と最終データ生成工程を説明する。画面制御データ生成処理部６では、原図編集処理部２の処理（前段階データ生成工程）では行われなかった可変画シンボルのデータに監視制御項目に関連付けされた項目番号を割り当てる紐付作業、すなわち項目番号登録作業を行う（項目番号登録工程）。画面制御データ生成処理部６は、項目番号登録作業が完了した可変画シンボル属性情報１８ａと、画面フォーマット図３とを含む画面表示制御データ７を生成する（最終データ生成工程）。
【００３６】
項目番号登録工程の前に、項目データベース生成装置１０にて監視項目表１２を作成し保存しておく。保存先は、記録装置や記録メディア等である。監視項目表１２には、図７に示すように各監視制御項目に対応して項目番号が割り当てられている。項目番号登録作業は、ＣＡＥ端末装置５のモニタ５ａに表示された可変画シンボル属性情報１８の表（図５参照）に、作業者が監視項目表１２（図７参照）を見ながら画面制御データ生成処理部６を介して各可変画シンボルのデータに対応する項目番号を登録する。画面制御データ生成処理部６に送られる入力データは、ＣＡＥ端末装置５の入力装置（キーボードやマウス等）を用いて入力される。項目番号が登録された可変画シンボル属性情報１８ａを図６に示した。
【００３７】
図７に示した監視項目表１２は、順番に付された番号（Ｎｏ．）の欄（列）と、監視対象項目（監視制御項目）と項目番号が設けられている。なお、図７における「図上の付加符号」の欄（列）は、対応関係が理解し易いように、図２の紙原図９ａにおける図面部品に付した符号を便宜的に記載した。図７において、「ＰＬ１」は５２Ｍ１に接続される第一系統を示しており、「ＰＬ２」は５２Ｍ２に接続される第二系統を示している。
【００３８】
図７の監視項目表１２では、図２に示した紙原図９ａの系統図に記載した１６個の機器の監視対象項目の例を示した。計測値７８、９８の監視対象項目は、それぞれＰＬ１主線電圧、ＰＬ２主線電圧である。断路器７５、９５の監視対象項目は、それぞれ８９Ｍ１Ｒ状態、８９Ｍ２Ｒ状態である。負荷開閉器７６、９６の監視対象項目は、それぞれ８９Ｔ１状態、８９Ｔ２状態である。保護継電器８１、１０１の監視対象項目は、それぞれ８９Ｔ１継電器状態、８９Ｔ２継電器状態である。保護継電器８２、１０２の監視対象項目は、それぞれＰＬ１変圧器の継電器１状態、ＰＬ２変圧器の継電器１状態である。保護継電器８３、１０３の監視対象項目は、それぞれＰＬ１変圧器の継電器２状態、ＰＬ２変圧器の継電器２状態である。計測値７９、９９の監視対象項目は、それぞれＰＬ１低側電流、ＰＬ２低側電流である。計測値８０、１００の監視対象項目は、それぞれＰＬ１低側電圧、ＰＬ２低側電圧である。
【００３９】
計測値７８、９８の項目番号は、それぞれＭＶ１００１、ＭＶ２００１である。断路器７５、９５の項目番号は、ＳＢ１００１、ＳＢ２００１である。負荷開閉器７６、９６の項目番号は、ＬＳ１００１、ＬＳ２００１である。保護継電器８１、１０１の項目番号は、ＰＲ１００１、ＰＲ２００１である。保護継電器８２、１０２の項目番号は、ＰＲ１００２、ＰＲ２００２である。保護継電器８３、１０３の項目番号は、ＰＲ１００３、ＰＲ２００３である。計測値７９、９９の項目番号は、ＭＡ１００１、ＭＡ２００１である。計測値８０、１００の項目番号は、ＭＶ１００２、ＭＶ２００２である。
【００４０】
項目データベース生成装置１０は、項目データベース生成処理部１３が監視項目表１２に基づいて、監視制御対象機器の監視対象項目及びこの監視対象項目毎に付けられた項目番号を含む項目データベース１４を生成する（項目データベース生成工程）。項目データベース１４は、記録装置や記録メディア等に保存される。
【００４１】
画面表示制御データ生成装置３０における原図編集処理部２、画面制御データ生成処理部６は、プロセッサ１１０がメモリ１１１に記憶されたプログラムを実行することにより、実現される。項目データベース生成装置１０の項目データベース生成処理部１３及び設備監視制御システム２０の画面データ生成処理部２１も、それぞれに備えられたプロセッサ１１０がメモリ１１１に記憶されたプログラムを実行することにより、実現される。また、複数のプロセッサ１１０および複数のメモリ１１１が連携して上記機能を実行してもよい。
【００４２】
画面表示制御データ生成装置３０が動作することにより、設備監視制御システム２０が監視対象設備の状態や故障を表示する設備監視画面の画面表示制御データ７ができ上がる。すなわち、画面表示制御データ生成装置３０の原図編集処理部２が前段階データ生成工程を実行し、その後画面制御データ生成処理部６が項目番号登録工程と最終データ生成工程を実行することにより、画面表示制御データ７が完成する。画面表示制御データ７は、記録装置や記録メディア等に保存される。本実施の形態では、画面表示制御データ生成装置３０に原図編集処理部２を設けることにより、画面表示制御データ作成における大部分の作業を自動化できる。実施の形態１の画面表示制御データ生成装置３０は、画面フォーマット図３を作成するための原図９となる系統図や機器配置図を読み取って、設備監視制御システム２０の設備監視画面として表示すべき情報を抽出して、初期画面フォーマット図の生成と可変画シンボルのデータの配置を行うので、作業者のデザイン力及び監視対象設備についての習熟度に依存することなく、正確な設備監視画面を設備監視制御システム２０に表示するための画面表示制御データ７を生成することができる。
【００４３】
画面表示制御データ生成装置３０が生成する画面表示制御データ７は、電力系統図の例で説明したが、実施の形態１の画面表示制御データ生成装置３０は、設備監視制御システム２０の監視制御機器に応じて、それぞれの設備監視画面に対応した画面表示制御データ７を生成することができる。設備監視画面が水などの配管系統図の場合は、画面フォーマット図は配管系統表示図であり、可変画シンボルはポンプ等の運転状態、温度計測値等である。設備監視画面が機器配置図の場合は、画面フォーマット図は部屋の壁及び間仕切り図であり、可変画シンボルはファン及びポンプなどの運転状態である。
【００４４】
なお、原図入力処理部１において系統図や機器配置図等の原図９を読み取る方法は、紙媒体で提供された図面をスキャナ装置１６で読み込む方法、ｐｄｆファイル化された図面イメージを読み込む方法、ＣＡＤデータファイルを直接読み込む方法などがあるが、本実施の形態では読み取り方法はいずれであってもよく、特に制限はない。
【００４５】
以上のように、実施の形態１の画面表示制御データ生成装置３０（設備監視画面用の画面表示制御データ生成装置）は、監視対象設備の運転状態を監視すると共に監視対象設備を制御する設備監視制御システム２０のモニタ２２ａに表示する設備監視画面を制御する、画面表示制御データ７を生成する画面表示制御データ生成装置であり、設備監視画面は、監視対象設備における複数の監視対象機器間の関連関係を表した固定画グラフィック画面と、監視対象機器の状態に応じて変化する可変画シンボルを含んでいる。実施の形態１の画面表示制御データ生成装置３０は、監視対象設備における複数の監視対象機器間の関連関係が記載された原図９をデータ化した、原図データ１５を生成する原図入力処理部１と、原図データ１５を編集して固定画グラフィック画面を生成し、かつ生成された固定画グラフィック画面における監視対象機器の図記号を可変画シンボルに置換して画面フォーマット図３を生成する原図編集処理部２と、画面フォーマット図３を含む画面表示制御データ７を生成する画面制御データ生成処理部６と、を備えたことを特徴とする。実施の形態１の画面表示制御データ生成装置３０は、原図編集処理部２が、原図データ１５を編集して固定画グラフィック画面を生成し、かつ監視対象機器の図記号を可変画シンボルに置換して画面フォーマット図３を生成するので、作業者のデザイン力及び監視対象設備についての習熟度に依存することなく、正確な設備監視画面を設備監視制御システム２０に表示するための画面表示制御データ７を生成することができる。
【００４６】
実施の形態１の設備監視画面用の画面表示制御データ生成方法は、監視対象設備の運転状態を監視すると共に前記監視対象設備を制御する設備監視制御システム２０のモニタ２２ａに表示する設備監視画面を制御する、画面表示制御データを生成する画面表示制御データ生成方法であり、設備監視画面は、監視対象設備における複数の監視対象機器間の関連関係を表した固定画グラフィック画面と、監視対象機器の状態に応じて変化する可変画シンボルを含んでいる。実施の形態１の設備監視画面用の画面表示制御データ生成方法は、監視対象設備における複数の監視対象機器間の関連関係が記載された原図９をデータ化した、原図データ１５を生成する原図データ生成工程と、原図データ１５を編集して固定画グラフィック画面を生成し、かつ生成された固定画グラフィック画面における監視対象機器の図記号を可変画シンボルに置換して画面フォーマット図３を生成する画面フォーマット図生成工程と、画面フォーマット図を含む画面表示制御データ７を生成する制御データ生成工程と、を実行することを特徴とする。実施の形態１の設備監視画面用の画面表示制御データ生成方法は、画面フォーマット図生成工程において、原図データ１５を編集して固定画グラフィック画面を生成し、かつ監視対象機器の図記号を可変画シンボルに置換して画面フォーマット図３を生成するので、作業者のデザイン力及び監視対象設備についての習熟度に依存することなく、正確な設備監視画面を設備監視制御システム２０に表示するための画面表示制御データ７を生成することができる。
【００４７】
実施の形態２．
実施の形態１では、原図編集処理部２は項目番号が未登録の可変画シンボル属性情報１８を生成し、項目番号登録工程において、作業者が画面制御データ生成処理部６を介して各可変画シンボルのデータに対応する項目番号を登録する例を示した。実施の形態２では、項目番号登録工程において、少なくとも一部の可変画シンボルのデータに対応する項目番号については作業者の人手作業を伴うことなく、項目データベース１４を参照して項目番号を登録する例を説明する。図９は、本発明の実施の形態２による画面表示制御データ生成装置を示す図である。実施の形態２の画面表示制御データ生成装置３０は、実施の形態１の画面表示制御データ生成装置３０とは、項目データベース抽出処理部８が追加され、項目データベース抽出処理部８が抽出した一部の項目番号を画面制御データ生成処理部６が可変画シンボル属性情報１８に登録する点で異なる。
【００４８】
原図編集処理部２が生成する画面フォーマット図３には、遮断器、断路器又は負荷開閉器のシンボルについては図記号近傍の文字列から５２や８９で始まる文字列（機器番号）が記載されているので、この５２や８９で始まる文字列を抽出することにより当該機器の機器番号を抽出できる。そこで、図９に示すように、項目データベース抽出処理部８は、画面フォーマット図３を参照して、機器番号付きの機器の機器番号を抽出し、この機器番号付きの機器の機器番号を検索キーとして項目データベース１４に登録された監視制御対象項目のデータを検索して該機器の項目番号を抽出する。項目データベース抽出処理部８は抽出した項目番号を画面制御データ生成処理部６に受け渡す（項目番号抽出工程）。なお、機器番号の一部を示す５２や８９は、機器を識別する文字なので、機器識別文字でもある。
【００４９】
項目データベース抽出処理部８の動作を、図４の画面フォーマット図３に記載された系統図を用いて説明する。項目データベース１４には、画面フォーマット図３に対応する監視項目表１２（図７参照）に記載した複数の監視対象項目と、この監視対象項目毎に付けられた項目番号が登録されている。項目データベース抽出処理部８は、項目番号抽出工程において、８９で始まる文字列を検索し、検索した「８９Ｍ１Ｒ状態」から項目番号ＳＢ１００１を抽出する。また、同様に、項目データベース抽出処理部８は、検索した「８９Ｍ２Ｒ状態」、「８９Ｔ１状態」、「８９Ｔ２状態」、「８９Ｔ１継電器状態」、「８９Ｔ２継電器状態」から、それぞれ項目番号ＳＢ２００１、ＬＳ１００１、ＬＳ２００１、ＰＲ１００１、ＰＲ２００１を抽出する。項目データベース抽出処理部８は、抽出した６つの項目番号ＳＢ１００１、ＳＢ２００１、ＬＳ１００１、ＬＳ２００１、ＰＲ１００１、ＰＲ２００１を画面制御データ生成処理部６に受け渡す。すなわち、項目データベース抽出処理部８は、監視対象機器の項目番号を抽出する共に、抽出した項目番号を前記画面制御データ生成処理部に出力する。
【００５０】
画面制御データ生成処理部６は、項目データベース抽出処理部８から受け取った項目番号ＳＢ１００１、ＳＢ２００１、ＬＳ１００１、ＬＳ２００１、ＰＲ１００１、ＰＲ２００１を、該当する機器の可変画シンボルのデータに対応する項目番号欄を登録する。項目データベース抽出処理部８から受け取った項目番号を登録した可変画シンボル属性情報１８ｂを図１０に示した。図１０は、本発明の実施の形態２による可変画シンボル属性情報の一例を示す図である。その後、可変画シンボル属性情報１８ｂにおける未登録の項目番号欄について、実施の形態１の項目番号登録工程を実行する。項目番号登録工程が実行された可変画シンボル属性情報は、図６の可変画シンボル属性情報１８ａと同じである。
【００５１】
実施の形態２の画面表示制御データ生成装置３０は、機器番号付きの機器（断路器３５、５５、負荷開閉器３６、５６）、及びこの機器に関係付けされた機器（保護継電器４１、６１）について項目番号を自動で登録するので、実施の形態１の画面表示制御データ生成装置３０よりも項目番号登録工程の人手作業を少なくすることができ、作業効率を高めることができる。
【００５２】
これまで、項目データベース抽出処理部８が抽出する項目番号の数が可変画シンボル属性情報１８に登録されるべき項目番号の数よりも少ない例で説明したが、原図編集処理部２が生成した画面フォーマット図３における全ての監視対象機器に機器番号を付しておけば、項目番号登録工程の人手作業を無くすことができる。
【００５３】
実施の形態３．
実施の形態１では、原図編集処理部２が画面可変画シンボルデータ４に登録されている図記号を認識及び抽出して、可変画シンボルのデータに置換した画面フォーマット図３を生成する方法について述べたが、この方法は原図編集処理部２がパターン認識処理により図記号の形を頼りに抽出しているため、抽出処理アルゴリズムは高度なものになる。実施の形態３では、原図編集処理部２の抽出処理アルゴリズムを簡略化可能な画面表示制御データ生成装置３０の例を説明する。
【００５４】
図１１は、本発明の実施の形態３による画面表示制御データ生成装置に用いる原図の一例を示す図である。実施の形態３の画面表示制御データ生成装置３０に入力される紙原図９ａは、実施の形態１の紙原図９ａとは、抽出対象領域２５が付加された点で異なる。図１１の紙原図９ａでは、１９個の個別の抽出対象領域２５ａ、２５ｂ、２５ｃ、２５ｄ、２５ｅ、２５ｆ、２５ｇ、２５ｈ、２５ｉ、２５ｊ、２５ｋ、２５ｌ、２５ｍ、２５ｎ、２５ｏ、２５ｐ、２５ｑ、２５ｒ、２５ｓを示した。抽出対象領域２５ａ〜２５ｓをまとめて、抽出対象領域２５とする。
【００５５】
図１１に示すように、紙原図９ａに予め抽出対象部位（処理対象範囲）を示した抽出対象領域２５を付けてから原図編集処理部２の抽出処理を行うようにする。抽出対象領域２５は、例えば図１１の破線部分にマーカーで線を付したり、破線領域内部の全てをマーカーで塗潰すことで、表示する。抽出対象領域２５は、原図編集処理部２が編集する範囲である処理対象範囲である、抽出対象領域２５が付加された原図９（紙原図９ａ）から生成した原図データ１５は、付加原図データである。なお、ＣＡＤデータファイル９ｂにおいて、抽出対象領域２５が付加された原図９から原図データ１５を生成してもよく、この原図９から生成した原図データ１５は、付加原図データである。
【００５６】
実施の形態３の原図編集処理部２における原図編集処理方法では作業者の作業は若干増えるものの、原図編集処理部２の抽出処理の最初に抽出対象領域２５で指示されている部分を抽出しその他の部分を削除すればよいので、図記号を抽出する対象部位が少なくなる。さらに、実施の形態３の原図編集処理方法は、実施の形態１のステップＳ００２の主回路抽出工程で述べた有効な接続線だけを抽出する処理が不要になるため、実施の形態１で述べたステップＳ００１、Ｓ００３、Ｓ００４、Ｓ００５、Ｓ００６を実行することになり、実施の形態１のステップＳ００１、Ｓ００２、Ｓ００３の処理からなる抽出処理アルゴリズムが、ステップＳ００１及びＳ００３の処理からなる抽出処理アルゴリズムに簡略化できる。
【００５７】
以上のように、実施の形態３の画面表示制御データ生成装置３０は、原図編集処理部２の抽出処理アルゴリズムを簡略化できるので、原図編集処理部２の抽出処理を実現するプログラムを実施の形態１よりも短くでき、すなわちプログラム開発期間の短縮化、及びプログラム開発費用の縮小化が実現できる。実施の形態３の画面表示制御データ生成装置３０は、実施の形態１と同等の結果をより安価に実現することができる。
【００５８】
実施の形態４．
実施の形態３では予め抽出範囲を抽出対象領域２５で指定することで原図編集処理部２の抽出処理アルゴリズムを簡略化する方法について述べたが、原図入力処理部１で読み込む原図９が系統図のＣＡＤデータ（ＣＡＤデータファイル９ｂの対象図のデータ）をそのまま読み込む場合には、ＣＡＤデータのレイア情報に基づいて抽出対象を限定することにより、原図編集処理部２の負荷を軽減しつつ実施の形態１から３と同等の結果を得ることができる。ＣＡＤデータのレイア情報に基づいて抽出対象を限定する方法は、例えばＣＡＤデータのレイアを確認のうえ抽出対象が含まれていないレイアを丸ごと処理対象外にすることである。実施の形態４の原図入力処理部１は、画面フォーマット図３に記載される抽出対象（残留対象）が含まれないレイアを削除した原図データ１５である削減原図データを生成する。
【００５９】
なお、本発明は、矛盾のない範囲内において、各実施の形態の内容を自由に組み合わせたり、各実施の形態を適宜、変形、省略したりすることが可能である。
【符号の説明】
【００６０】
１…原図入力処理部、２…原図編集処理部、３…画面フォーマット図、４…画面可変画シンボルデータ、６…画面制御データ生成処理部、７…画面表示制御データ、８…項目データベース抽出処理部、９…原図、１５…原図データ、１４…項目データベース、１８…可変画シンボル属性情報（初期可変画シンボル属性情報）、１８ａ…可変画シンボル属性情報、１８ｂ…可変画シンボル属性情報、２０…設備監視制御システム、２２ａ…モニタ、２５…抽出対象領域（処理対象範囲）、３０…画面表示制御データ生成装置
【図１】
0006548588.tif 000002
【図２】
0006548588.tif 000003
【図３】
0006548588.tif 000004
【図４】
0006548588.tif 000005
【図５】
0006548588.tif 000006
【図６】
0006548588.tif 000007
【図７】
0006548588.tif 000008
【図８】
0006548588.tif 000009
【図９】
0006548588.tif 000010
【図１０】
0006548588.tif 000011
【図１１】
0006548588.tif 000012